(57)【要約】【課題】睡眠中に高圧電位治療を行なう場合において、被治療者の睡眠の妨げになることを防止するとともに、睡眠のリズムに合わせて有効な高圧電位治療を行なうことを可能とする高圧電位治療方法を提供すること。【解決手段】入力電源の電圧を所定の電圧に調整するための電圧調整手段（３）と、該電圧調整手段（３）により予め設定された電圧レベルに変圧された電源を高圧に変換して出力するための高圧電位発生手段（６）と、前記電圧調整手段（３）を制御して、予め設定された順序にしたがって入力電源の電圧を調整するための制御手段（４）を備え、予め被治療者に加える複数種類の電圧値並びにその電圧を加える順序及び時間を設定しておき、治療開始と同時に、前記予め設定した電圧値並びにその電圧を被治療者に加える順序及び時間にしたがって、入力電源の電圧を調整するとともに高圧に変換して被治療者に加える。【選択図】              図１
2005040241.tif 000002
【特許請求の範囲】
【請求項１】
被治療者に対して高圧の電位を加えて電位治療を行うために用いられる高圧電位治療器であって、
入力電源の電圧を所定の電圧に調整するための電圧調整手段（３）と、
該電圧調整手段（３）により予め設定された電圧レベルに変圧された電源を高圧に変換して出力するための高圧電位発生手段（６）と、
前記電圧調整手段（３）を制御して、予め設定された順序にしたがって入力電源の電圧を調整するための制御手段（４）と、を備えたことを特徴とする高圧電位治療器。
【請求項２】
被治療者に対して高圧の電位又は温熱を加えて治療を行うために用いられる高圧電位治療器であって、
入力電源の電圧を所定の電圧に調整するための電圧調整手段（３）と、
該電圧調整手段（３）により予め設定された電圧レベルに変圧された電源を高圧に変換して出力するための高圧電位発生手段（６）と、
電位治療と温熱治療とを切り替えるための切替手段（５）と、
前記電圧調整手段（３）を制御して、予め設定された順序にしたがって入力電源の電圧を調整するとともに、前記切替手段（５）の作動を制御するための制御手段（４）と、を備えたことを特徴とする高圧電位治療器。
【請求項３】
前記電圧調整手段（３）としてラダー抵抗回路を用いたことを特徴とする請求項１又は請求項２に記載の高圧電位治療器。
【請求項４】
請求項１乃至請求項３のいずれかを用いた高圧電位治療方法であって、予め被治療者に加える複数種類の電圧値、並びにそれらの電圧を被治療者に加える順序及び時間を設定しておき、
治療開始と同時に、前記予め設定した電圧値並びにその電圧を被治療者に加える順序及び時間にしたがって、入力電源の電圧を調整するとともに該調整した電圧を高圧に変換して被治療者に加えることを特徴とする高圧電位治療方法。
【発明の詳細な説明】
【０００１】
【発明の属する技術分野】
本発明は、被治療者に高圧の電流を加えることにより電位治療を可能とした高圧電位治療器及びそれを用いた高圧電位治療の方法に係り、より詳しくは、予め、被治療者に加える複数種類の電圧値、並びに、それを加える順序及び加える時間を設定しておき、この設定に基づいて、１回の治療中に異なった値の電圧を加えることを可能とした高圧電位治療器及びそれを用いた高圧電位治療方法に関する。
【０００２】
【従来の技術】
従来から、頭痛、肩こり、不眠等を治療するための装置として、血液循環をよくして体質改善に効果を有する高圧電位治療器が用いられている。
【０００３】
ここで、高圧電位治療器とは、被治療者の身体に高圧の電位を加える装置であり、この高圧電位治療器を用いて高圧電位治療を行うことにより、被治療者は、血液循環が良くなり体質が改善され、頭痛、肩こり、不眠等を無くすることができるものである。
【０００４】
ところで、この高圧電位治療器による治療では、例えば１時間等のまとまった治療時間が必要であるために、日中にまとまった時間をとれない者の場合には、睡眠中に高圧電位治療を行なう場合がある。またそのほか、睡眠中は心身ともにリラックスしており高圧電位治療の効果があがるために、日中にまとまった時間をとれる者の場合でも睡眠中の高圧電位治療を欲する者が多い。
【０００５】
しかしながら、このように睡眠中に高圧電位治療を行なった場合には、交流特有の振動が睡眠の妨げになる場合があり、有効な治療を行なうことが困難になることがあった。
【０００６】
即ち、一般的に、睡眠には、浅い眠りのレム睡眠と深い眠りのノンレム睡眠があり、更にノンレム睡眠は、眠りの浅い第１段階から眠りの深い第４段階までの４段階がある。
【０００７】
そして、人が眠るときは、まず、眠りの浅いノンレム睡眠の第１段階から始まって、その後、ノンレム睡眠の第２段階乃至第４段階の深い眠りに移っていき、やがて眠りの浅いレム睡眠に入っていくと言われており、これが睡眠の１サイクルであり、この１サイクルが約９０分といわれている。
【０００８】
一方、従来の高圧電位治療器では、予め電圧値を設定した後にスイッチをオンにすると、治療の当初より、この予め設定した電圧値が被治療者に加えられるために、例えば１０００Ｖを超える電圧値を設定した場合には、治療開始時から交流特有の振動が被治療者に伝わってしまう。
【０００９】
この点、電圧値を低い値に設定した場合には、例えば電圧値を１，０００に下げた場合には振動が被治療者に伝わることはないが、高圧電位治療では電圧値が高いほど効果が高いために、電圧値を１，０００Ｖに設定した場合にはより高い効果を得ることが困難になってしまう。
【００１０】
そのため、従来の高圧電位治療器を用いて睡眠時に高圧電位治療を行なった場合において、有効な治療を行なうために１，０００Ｖ以上の電圧を設定したときには、睡眠当初の浅い眠りのときに交流の振動が被治療者に伝わってしまうために、これが睡眠の妨げになることが考えられる。
【００１１】
その一方、前述したように、被治療者に加える電圧値を低くすると、有効な治療効果を得ることができない、という問題がある。
【００１２】
更に、直流による高圧電位治療を行なう場合には、振動は発生しないが、この場合でも、眠りの深いときに高圧を加えるとより効果があるために、眠りのリズムに応じて電圧値を変更することができればよりよい治療を行なうことが可能である。
【００１３】
しかしながら、従来は、このような問題点を解決することができる高圧電位治療器は提供されていなかった。
【００１４】
【発明が解決しようとする課題】
そこで、本発明は、睡眠中に高圧電位治療を行なう場合において、被治療者の睡眠の妨げになることを防止するとともに、睡眠のリズムに合わせて有効な高圧電位治療を行なうことを可能とした高圧電位治療器及びそれを用いた高圧電位治療方法を提供することを課題としている。
【００１５】
【課題を解決するための手段】
本発明の高圧電位治療器は、被治療者に対して高圧の電位を加えて電位治療を行うために用いられる高圧電位治療器であって、
入力電源の電圧を所定の電圧に調整するための電圧調整手段と、
該電圧調整手段により予め設定された電圧レベルに変圧された電源を高圧に変換して出力するための高圧電位発生手段と、
前記電圧調整手段を制御して、予め設定された順序にしたがって入力電源の電圧を高圧にするための制御手段と、を備えたことを特徴としている。
【００１６】
また、本発明の高圧電位治療方法は、前記高圧電位治療器を用いた高圧電位治療方法であって、予め被治療者に加える複数種類の電圧値、並びにその電圧を被治療者に加える順序及び時間を設定しておき、治療開始と同時に、前記予め設定した電圧値並びにその電圧を被治療者に加える順序及び時間にしたがって、入力電源の電圧を調整するとともに該調整した電圧を高圧に変換して被治療者に加えることを特徴としている。
【００１７】
本発明では、入力電圧を高圧に変換するための高圧電位発生手段を備え、これにより被治療者に高圧電位を加えることを可能にするとともに、電圧調整手段とこの電圧調整手段の作動を制御する制御手段を備えて、制御手段の制御によって、高圧変換の基礎となる電源の電圧を調整可能にしている。
【００１８】
そのため、予め、睡眠リズムに合わせて、高圧変換の基礎となる電源の電圧を徐々に上げていくことにより、眠りの深さに応じて電圧値を上げていくことが可能となる。
【００１９】
したがって、本発明の高圧電位治療器を用いることにより、例えば、被治療者に加える電圧値を、１，０００Ｖ、３，０００Ｖ、５，０００Ｖ、７，０００、８，０００Ｖ、９，０００Ｖと順次上げていくことができ、これにより、入眠当初の浅い眠りのときは交流の振動を被治療者に伝わらせることを防止でき、睡眠の妨げになることなく、有効な高圧電位治療を行なうことが可能となる。
【００２０】
【発明の実施の形態】
本発明の高圧電位治療器では、入力された電源電圧を所定の電圧の直流に変換するためのスイッチング電源を備えている。そして、このスイッチング電源には、電圧調整手段を介して高圧発生手段が接続され、この高圧発生手段には通電マットが接続されており、これにより、前記スイッチング電源からの出力は、電圧調整手段によって所定の電圧値に変換され、その後、この変換された電圧値が高圧発生手段により高圧に変換された後に、通電マットに出力される。
【００２１】
更に、前記電圧調整手段には制御手段が接続されており、この制御手段においては、操作スイッチを介して設定された指示に従い、前記電圧調整手段を制御して、電圧調整手段によって変換する電圧値を調整可能としている。
【００２２】
ここで、電位治療と温熱治療とを切り替えるための切替部を備えて、被治療者の選択に応じて、電位治療と温熱治療との双方を行うことを可能にするとよく、これにより、より効果のある治療を行うことが可能となる。
【００２３】
また、前記電圧調整手段としては複数個の抵抗を備えたラダー抵抗回路を用いるとよく、これにより、スイッチング電源より出力された電源の電圧を容易に調整可能となる。
【００２４】
【実施例】
本発明の高圧電位治療器用の実施例について図面を参照して説明すると、図１は、本実施例の構成を示すブロック図であり、図１に示す高圧電位治療器１では、電位治療のほかにヒーターによる温熱治療をも可能にしているとともに、直流と交流を被治療者の選択に基づいて切り替えることが可能なものとしている。
【００２５】
即ち、本実施例の高圧電位治療器１では、複数個の操作スイッチ１１を備えた操作パネルと、操作スイッチ１１による初期設定等の際に用いる表示部１０及びスピーカー１２を有しており、表示部１０における表示、及びスピーカー１２よる音声案内等を参考にしながら、操作パネル上の操作スイッチ１１により、治療の種類、電圧値等を設定可能としている。そして、本実施例において設定可能な電圧値としては、直流電圧の場合は１４，０００Ｖ、１３，０００Ｖ、１２，０００Ｖ、１０，０００Ｖ、２，０００Ｖ、１，０００Ｖ、交流の場合は９，０００Ｖ、８，０００Ｖ、７，０００Ｖ、５，０００、３，０００Ｖ、１，０００Ｖとし、更に、温熱に関しても複数段階の選択を可能としている。
【００２６】
また、本実施例の高圧電位治療器では、通電マット９を備えているとともに、この通電マット９に、ニクロム線及び特殊カーボンフィルム等の導電手段を内蔵し、この導電手段に、電位治療用の高圧、又は温熱治療用の電圧を出力することで、電位治療及び温熱治療を可能としている。
【００２７】
次に、本実施例の高圧電位治療器の回路構成について説明すると、図１において、２はスイッチング電源であり、本実施例においてこのスイッチング電源２は、交流８５Ｖ〜２６０Ｖの入力を受けてこれを直流に変換するとともに、直流３０Ｖを治療用に供給し、それとともに直流５Ｖを制御用に供給する機能を有している。
【００２８】
そして、このスイッチング電源２には、電圧調整手段３が接続されており、この電圧調整手段３において、前記スイッチング電源２より供給された電源の電圧を所望する電圧に調整可能としている。
【００２９】
この関係について図２を用いて詳細に説明すると、本実施例において前記スイッチング電源２の出力側にはトランジスタ３０１が接続されており、このトランジスタ３０１のベースには、電圧調整用ＩＣ３０３を介してラダー抵抗回路３０２の出力側が接続され、更に、ラダー抵抗回路３０２の入力側には、制御手段としてのマイコン４が接続されている。そしてこの構成により、マイコン４からの入力がラダー抵抗回路３０２において電圧レベルに変換された後に、電圧調整用ＩＣ３０３を介してトランジスタ３０１のベースに出力され、これにより、前記トランジスタ３０２を介して、スイッチング電源２より供給される電源の電圧レベルを調整可能としている。従って、マイコン４からラダー抵抗回路３０２への出力を調整することにより、ラダー抵抗回路３０２からトランジスタ３０１に出力される電圧レベルを調整することができ、これにより、スイッチング電源２より供給される電源の電圧レベルを調整可能である。
【００３０】
なお、本実施例において前記電圧調整用ＩＣ３０３は、ラダー抵抗回路３０２から出力される電圧レベルと基準電圧との比較を行うために用いている。
【００３１】
次に、図１において、前記トランジスタ３０２には、切替器としてのリレー５が接続されているとともに、このリレー５はマイコン４により制御可能としており、更に、リレー５には、高圧発生手段６と通電マット９が接続されている。そして、リレー５の切替により、電位治療を行う場合には、供給された主電源は高圧発生手段６に供給されて高圧に変換された後に通電マット９に出力され、一方、温熱治療の場合には主電源は通電マット９に出力される。
【００３２】
ここで、前記高圧電位発生手段６について説明すると、本実施例においてこの高圧電位発生手段６は、変圧手段７と逓倍回路８とを備えており、まず、前記トランジスタ３０２を介して供給された電源は変圧手段７において昇圧される。
【００３３】
即ち、本実施例において前記変圧手段７としては、ＤＣ／ＤＣ／コンバーターとしてのトランスを用いており、このトランス７において、前記入力された電源の電圧を約９３倍に変圧可能としている。従って、例えば３０Ｖが入力された場合には、この変圧手段７において２，８００Ｖに変圧される。
【００３４】
なお、本実施例において、この変圧手段７には前記マイコン４が接続されており、マイコン４において現在の電圧を監視するとともに、検知した電圧に基づいて前記ラダー抵抗回路３０２を制御する構成としている。
【００３５】
次に、この変圧手段７には逓倍回路８が接続されており、前記変圧手段７において約９３倍の電圧に変換された電源を、この逓倍回路８において逓倍することを可能としている。
【００３６】
そして、本実施例において前記逓倍回路８としては、複数個のダイオードと複数個のコンデンサーを組み合わせた５逓倍回路としており、従って、本実施例においては、変圧手段において高圧に変換された電源の電圧が、この逓倍回路８において約５倍の電圧に変換され、その後に、この変換された高圧が前記通電マット９に出力される。
【００３７】
なお、図３は、本実施例の高圧電位治療器１の制御系を示す図であり、本実施例においては、前記スイッチング電源２、電圧調整回路としてのラダー抵抗回路３０２、切替部としてのリレー５、変圧手段７、操作パネル１１に配置された複数個の操作スイッチが接続されたスイッチのコントロール回路、表示部１０に接続された表示回路、そして、音声案内回路を介したスピーカー１２がマイコン４に接続されており、これにより、マイコン４により装置全体の作動の制御を可能としている。
【００３８】
そして、本実施例において前記操作スイッチ１１としては、電源スイッチとともに、（１）治療モード選択スイッチ、（２）治療時間選択スイッチ、（３）電位選択スイッチ、（４）治療時間選択スイッチ、（５）温熱治療の際の温熱段階選択スイッチ、そして、（６）温熱治療の際の治療時間選択スイッチ等を備えている。
【００３９】
また、表示部１０においては、前記操作スイッチで初期設定を行なう際に各種数値等を表示可能としており、その他、治療中の経過時間等を表示可能としている。
【００４０】
更に、本実施例においては、前記マイコン４に音声案内回路を備えており、スピーカー１２を介して、初期設定の際に音声による案内を出力し、これにより初期設定等の操作を容易にしている。
【００４１】
次に、このように構成される本実施例の高圧電位治療器１の作用について説明すると、例えば商用１００Ｖが入力されると、まず、スイッチング電源２において、この入力電源が直流に変換されるとともに、３０Ｖが主電源として電圧調整手段３に供給され、５Ｖがマイコン４に供給される。
【００４２】
次に、供給された主電源は、電圧調整手段３において、所望する電圧に調整される。即ち、マイコン４からの入力に従ってラダー抵抗回路３０２から出力される電圧が調整されるとともに、この電圧が電圧調整用ＩＣ３０２を介してトランジスタ３０１のベースに供給され、これにより、トランジスタ３０２を介して流れてくる主電源の電圧が調整される。
【００４３】
次に、電圧調整手段３によって所望する電圧に調整された主電源は、切替部５を介して、電位治療の場合には、高圧発生手段６に供給された後に高圧に変換されて通電マット９に出力され、一方、温熱治療の場合には通電マット９に供給される。
【００４４】
まず、電位治療の場合について説明すると、前記電圧調整手段３により所望する電圧に調整された主電源は、変圧手段７により高圧に、より具体的には約９３倍に変換される。
【００４５】
そしてその後、この約９３倍の電圧に変換された主電源は、逓倍回路８において約５倍の電圧に変換された後に通電マット９に出力され、その後、通電マット９を介して被治療者に加えられる。
【００４６】
そしてこのとき、本実施例においては、前述したように、電圧調整手段３において、スイッチング電源２より供給された３０Ｖの主電源の電圧を任意に調整可能としており、従って、この調整された電圧に基づいて高圧変換が行なわれるために、通電マット９に加えられる電源の電圧を任意に調整可能である。従って、本実施例においては、例えば、入眠当初は１，０００Ｖの低電圧に設定しておき、その後、睡眠が深くなるに従って電圧を高くしていき、最も睡眠が深い段階における電圧を９，０００Ｖにすることができる。そのため、睡眠を妨げることなく、有効な電位治療を行うことが可能である。
【００４７】
また、電圧調整手段における調整によって、主電源の電圧の調整を繰り返すことによって、供給されてきた直流を交流波形に変換することもでき、これにより、交流治療と直流治療の双方を行うことが可能となるとともに、高圧変換前の電源を交流変換するため、大型で重量が大きい高圧トランスを用いる必要もなくなる。
【００４８】
一方、温熱治療の場合には、切替部５を介した主電源は通電マット９にそのまま出力され、これにより通電マット９に内臓したニクロム線及び特殊カーボンフィルム等の導電手段を加熱して温熱治療を可能にする。そして、このとき、前述した電位治療の場合と同様に、電圧調整手段３により、主電源の電圧を調整することにより、通電マット９に供給する電源の電圧を調整することが可能であり、そのため、所望する温熱を得ることが可能である。
【００４９】
このように、本実施例の高圧電位治療器では、供給された電源の電圧を所望の電圧に調整し、その後に、この、電圧を調整した主電源を高圧にし、あるいは通電マットに供給可能としているために、被治療者に加える電位の電圧又は温熱を自在に調整することができ、被治療者の睡眠リズムに応じた治療を行うことが可能である。
【００５０】
次に、前記高圧電位治療器１を用いた本発明における高圧電位治療方法の実施例について図４のフローチャートを用いて説明すると、本実施によって高圧電位治療を行う場合には、まず、ステップ１において、操作スイッチ１を用いて初期設定を行なう。そして、この初期設定においては、第１に治療モードの選択を行なう。
【００５１】
即ち、本実施例においてこの治療モードとしては、（１）高圧電位治療のみ、（２）温熱治療のみ、（３）電位／温熱治療、（４）温熱治療と電位治療とを短時間、例えば２．５分間隔で交互に繰り返す治療、（５）交流のプラス側をカットした電位治療、（６）睡眠時の交流治療、（７）睡眠時の直流治療、（８）睡眠のリズムに合わせた睡眠時の直流治療、（９）睡眠のリズムに合わせた睡眠時の交流治療、の９段階のモードを備えている。
【００５２】
そして、例えば、睡眠のリズムに合わせた睡眠時の交流あるいは直流治療を選択した場合には、睡眠の段階に応じた被治療者に加える電圧値、及び、その電圧を加える順序及び時間を設定しておく。
【００５３】
例えば、ノンレム睡眠の第１段階では１，０００Ｖ、その後段階が進んでいくに従って、３，０００Ｖ、５，０００Ｖ、７，０００Ｖ、８，０００Ｖと電圧を上げていき、最も深い睡眠に入ったときに９，０００Ｖを加え、その後レム睡眠に入ったときに再び１，０００Ｖを加えるような設定を行う。
【００５４】
そして、ステップ２においてスイッチをオンにして治療を開始すると、この設定に従って、マイコン４の制御によって電圧調整手段３の調整で主電源の電圧を調整するとともに、この電圧を調整された電源を高圧に変換して通電マット９に出力する。
【００５５】
即ち、例えば、図４において、ステップ３において、入眠当初の最も浅い眠りのとき（ノンレム睡眠の第１段階）の場合には１，０００Ｖを生成して被治療者に加える。
【００５６】
そしてその後、予め設定してある時間が経過した後に、ステップ４において、電圧を３，０００Ｖに変換し、その電圧を被治療者に加える。
【００５７】
そして、その後、ステップ５〜ステップ８において、それぞれ、所定時間の経過後に、即ち、睡眠段階が徐々に深い段階に進むにしたがって、５，０００Ｖ、７，０００Ｖ、８，０００Ｖ、９，０００Ｖと電圧を高くしていき、その後、ステップ９において、眠りの浅いレム睡眠に入る時間に応じて再び電圧を１，０００Ｖに降下させて被治療者に加え、その後終了する。
【００５８】
そうすると、睡眠のリズムに合わせて、被治療者にとって最も適切と思われる電圧を加えることができ、被治療者の睡眠を妨げることなく電位治療を行うことが可能となる。
【００５９】
また、直流による電位治療においても、最も深い睡眠のときに最も高い電圧を加えることができ、これにより有効な治療を行うことが可能となる。
【００６０】
なお、前述のように、現在では、睡眠のリズムに関してはノンレム睡眠の４段階とレム睡眠を１サイクルとして約９０分であり、それぞれの段階に関しても平均的な時間が解明されているために、本実施例においても、予めその時間に応じて各電圧を加える時間を設定している。但しこのとき、３，０００Ｖ以上の電位治療の時間は６０分以内に設定する。
【００６１】
【発明の効果】
本発明の高圧電位治療器は、以上説明したような形態で実施され、以下に記載するような効果を奏する。
【００６２】
本発明では、入力電圧を高圧に変換するための高圧電位発生手段を備え、これにより被治療者に高圧電位を加えることを可能にするとともに、電圧調整手段とこの電圧調整手段の作動を制御する制御手段を備えて、制御手段の制御によって、高圧変換の基礎となる電源の電圧を調整可能にしている。
【００６３】
そのため、予め、睡眠リズムに合わせて、高圧変換の基礎となる電源の電圧を徐々に上げていくことにより、眠りの深さに応じて電圧値を上げていくことが可能となり、したがって、本発明の高圧電位治療器を用いることにより、例えば、被治療者に加える電圧値を、１，０００Ｖ、３，０００Ｖ、５，０００Ｖ、７，０００、８，０００Ｖ、９，０００Ｖと順次上げていくことができ、これによって、入眠当初の浅い眠りのときは交流の振動を被治療者に伝わらせることを防止でき、睡眠の妨げになることなく、有効な高圧電位治療を行なうことが可能となる。
【図面の簡単な説明】
【図１】本発明の高圧電位治療器の実施例の構成を示すブロック図である。
【図２】本発明の高圧電位治療器の実施例における電圧調整手段を説明するためのブロック図である。
【図３】本発明の高圧電位治療器の実施例における制御系を説明するためのブロック図である。
【図４】本発明の高圧電位治療方法の実施例を説明するためのフローチャートである。
【符号の説明】
１    高圧電位治療器
２    スイッチング電源（ＳＷ電源）
３    電圧調整手段
４    マイコン
５    リレー（切換器）
６    高圧発生手段
７    変圧手段（トランス）
８    ５逓倍回路
９    通電マット
１０    表示部
１１    操作パネル
１２    スピーカー
【図１】
2005040241.tif 000003
【図２】
2005040241.tif 000004
【図３】
2005040241.tif 000005
【図４】
2005040241.tif 000006